(57)【要約】【課題】ボトムレールの下限位置近傍でボトムレールの下降速度を確実に減衰させ、操作性、耐久性を確保し得る日射遮蔽装置の遮蔽材昇降装置を提供する。【解決手段】昇降コード９をヘッドボックスから引き出し、あるいは昇降コード９をボトムレールの重量に基づいてヘッドボックス内に引き込ませて日射遮蔽材及びボトムレールを昇降する日射遮蔽装置において、ボトムレールの下降にともなって磁石１２を金属パイプ８に沿って移動させ、該金属パイプ８に発生する渦電流で磁石１２の移動速度を抑制してボトムレールの下降速度を減速する制動装置を備えた。【選択図】図２
2010101137.tif 000002
【特許請求の範囲】
【請求項１】
昇降コードをヘッドボックスから引き出し、あるいは昇降コードをボトムレールの重量に基づいてヘッドボックス内に引き込ませて日射遮蔽材及びボトムレールを昇降する日射遮蔽装置において、
前記ボトムレールの下降にともなって磁石を金属パイプに沿って移動させ、該金属パイプに発生する渦電流で前記磁石の移動速度を抑制して前記ボトムレールの下降速度を減速する制動装置を備えたことを特徴とする日射遮蔽装置の遮蔽材昇降装置。
【請求項２】
前記ヘッドボックスから吊下支持される金属パイプに前記昇降コードを挿通し、前記昇降コードを前記ヘッドボックスから金属パイプを経て引き出し、あるいは金属パイプを経てヘッドボックス内に引き込ませて前記日射遮蔽材及びボトムレールを昇降可能とし、前記昇降コードの前記ヘッドボックス内への引き込みにともなって前記磁石を前記金属パイプに沿って移動可能としたことを特徴とする請求項１記載の日射遮蔽装置の遮蔽材昇降装置。
【請求項３】
前記磁石に前記昇降コードを挿通し、前記昇降コードのヘッドボックス内への引き込みにともなって前記磁石に係合して前記昇降コードとともに該磁石を前記金属パイプに沿って移動させる係合部を前記昇降コードに設けたことを特徴とする請求項２記載の日射遮蔽装置の遮蔽材昇降装置。
【請求項４】
前記金属パイプ内に前記磁石を移動可能に支持したことを特徴とする請求項３記載の日射遮蔽装置の遮蔽材昇降装置。
【請求項５】
前記金属パイプを前記ボトムレールの両端部近傍に垂立させ、前記ボトムレールの両端部に取着した前記磁石を前記金属パイプに沿って移動可能としたことを特徴する請求項１記載の日射遮蔽装置の遮蔽材昇降装置。
【請求項６】
前記金属パイプを前記磁石に挿通したことを特徴とする請求項５記載の日射遮蔽装置の遮蔽材昇降装置。
【発明の詳細な説明】
【技術分野】
【０００１】
この発明は、横型ブラインドやプリーツカーテン等の日射遮蔽装置において、スラットやカーテン生地等の日射遮蔽材を昇降する昇降装置に関するものである。
【背景技術】
【０００２】
横型ブラインドのスラットの角度調節操作及び昇降操作を行う操作装置の一種類として、ヘッドボックスの一端部からスラットの角度調節操作を行うための操作棒が垂下され、ヘッドボックスから操作棒内を貫通させて昇降コードを垂下したものがある。
【０００３】
このような横型ブラインドでは、操作棒を回転操作することにより、ヘッドボックス内に配設される角度調節装置及びラダーコードを介してスラットが回動される。また、ヘッドボックスから操作棒を経て昇降コードを引き出すことによりボトムレール及びスラットが引上げられ、引き出された昇降コードをヘッドボックス内に引き込ませることによりボトムレール及びスラットが下降されるようになっている。
【０００４】
ヘッドボックス内にはスラット及びボトムレールの自重降下を防止するストッパ装置が設けられている。このストッパ装置は、昇降コードを引き出した後に手放したとき、昇降コードのヘッドボックスへの引き込みを阻止してボトムレール及びスラットの自重降下を阻止するロック状態となり、この状態から昇降コードを僅かに引き出せば、ロック状態を解除してボトムレール及びスラットの下降操作を可能とするものである。なお、ロック状態から昇降コードを引き出してボトムレール及びスラットの引き上げ操作を行うことも可能である。
【特許文献１】特許第３０６４２４３号公報
【特許文献２】実開昭５８−５２２９７号公報
【発明の開示】
【発明が解決しようとする課題】
【０００５】
上記のようなストッパ装置を備えた横型ブラインドの操作装置では、ストッパ装置のロック状態を解除した状態で誤って昇降コードを手放すと、ボトムレールが下限位置まで勢いよく落下して騒音を発生させることがある。また、ボトムレールの下限位置近傍に配置された家財道具等に衝突して、耳障りな衝突音を発生させることもある。
【０００６】
特許文献１には、スラットの下降操作時に昇降コードの移動速度を一定速度以下に抑制して、ボトムレールの急激な落下を防止するようにしたブレーキ装置を備えた横型ブラインドの操作装置が開示されている。
【０００７】
しかし、固定滑車及び可動滑車と昇降コードとの摩擦により昇降コードの移動速度を抑制する構成であるため、昇降コードが磨耗し易いという問題点がある。また、スラットの引き上げ操作時にも昇降コードと各滑車との摩擦が発生するため、スラットの引き上げ操作に要する操作力が増大する。
【０００８】
特許文献２には、グリップから引き出したコードの移動速度を、栓体とフランジとの間での摩擦により調整して、ボトムレールの下降速度を抑制する安全操作装置が開示されている。
【０００９】
しかし、栓体とフランジとの間でコードを摩擦させて移動速度を調整する構成であるため、コードが磨耗し易いという問題点がある。
この発明の目的は、ボトムレールの下限位置近傍でボトムレールの下降速度を確実に減衰させ、操作性、耐久性を確保し得る日射遮蔽装置の遮蔽材昇降装置を提供することにある。
【課題を解決するための手段】
【００１０】
請求項１では、昇降コードをヘッドボックスから引き出し、あるいは昇降コードをボトムレールの重量に基づいてヘッドボックス内に引き込ませて日射遮蔽材及びボトムレールを昇降する日射遮蔽装置において、前記ボトムレールの下降にともなって磁石を金属パイプに沿って移動させ、該金属パイプに発生する渦電流で前記磁石の移動速度を抑制して前記ボトムレールの下降速度を減速する制動装置を備えた。
【００１１】
請求項２では、前記ヘッドボックスから吊下支持される金属パイプに前記昇降コードを挿通し、前記昇降コードを前記ヘッドボックスから金属パイプを経て引き出し、あるいは金属パイプを経てヘッドボックス内に引き込ませて前記日射遮蔽材及びボトムレールを昇降可能とし、前記昇降コードの前記ヘッドボックス内への引き込みにともなって前記磁石を前記金属パイプに沿って移動可能とした。
【００１２】
請求項３では、前記磁石に前記昇降コードを挿通し、前記昇降コードのヘッドボックス内への引き込みにともなって前記磁石に係合して前記昇降コードとともに該磁石を前記金属パイプに沿って移動させる係合部を前記昇降コードに設けた。
【００１３】
請求項４では、前記金属パイプ内に前記磁石を移動可能に支持した。
請求項５では、前記金属パイプを前記ボトムレールの両端部近傍に垂立させ、前記ボトムレールの両端部に取着した前記磁石を前記金属パイプに沿って移動可能とした。
【００１４】
請求項６では、前記金属パイプを前記磁石に挿通した。
【発明の効果】
【００１５】
本発明によれば、ボトムレールの下限位置近傍でボトムレールの下降速度を確実に減衰させ、操作性、耐久性を確保し得る日射遮蔽装置の遮蔽材昇降装置を提供することができる。
【発明を実施するための最良の形態】
【００１６】
（第一の実施形態）
以下、この発明を具体化した第一の実施形態を図面に従って説明する。図１に示す横型ブラインドは、ヘッドボックス１から複数本のラダーコード２を介して多数段のスラット３が吊下支持され、同ラダーコード２の下端にはボトムレール４が吊下支持されている。
【００１７】
前記ヘッドボックス１内には支持部材５が複数個配設され、その支持部材５にはドラム６が回転可能に支持される。前記ラダーコード２の上端部は、前記ドラム６に取着され、そのドラム６の中心部には角度調節軸７が嵌挿されている。従って、角度調節軸７が回転されると、ドラム６が回転され、そのドラム６の回転にともなって、ラダーコード２の一方が引き上げられることにより、各スラット３及びボトムレール４が同位相で角度調節される。
【００１８】
前記ヘッドボックス１の一端部には操作棒８が吊下支持されている。前記操作棒８を回転操作すると、ヘッドボックス１内に配設されるギヤ機構を介して前記角度調節軸７が回転される。従って、操作棒８の回転操作により、各スラット３を角度調節可能となっている。
【００１９】
前記スラット３の両側部には、昇降コード９がそれぞれ貫通され、各昇降コード９の一端は前記ボトムレール４に取着される。前記各昇降コード９の他端は前記支持部材５を経て、ヘッドボックス１内を前記操作棒８方向に案内される。そして、ヘッドボックス１内に設けられるストッパ装置を経て、中空状の前記操作棒８内に挿通され、その先端はコードイコライザ１０に取着される。
【００２０】
従って、コードイコライザ１０を下方へ引いて、ヘッドボックス１から昇降コード９を引き出すことにより、ボトムレール４を引き上げて、スラット３を引き上げ可能である。また、昇降コード９の引出し操作を停止すれば、ストッパ装置が作動して、ボトムレール４及びスラット３の自重による下降が阻止されて、スラット３が所望位置に吊下支持される。
【００２１】
前記ストッパ装置は、ヘッドボックス１から昇降コード９を引き出した後に手放したとき、昇降コード９のヘッドボックス１への引き込みを阻止してボトムレール４及びスラット３の自重降下を防止するロック状態となる。また、この状態から昇降コードを僅かに引き出せば、ロック状態を解除して昇降コード９をヘッドボックス１内に引き込ませて、ボトムレール４及びスラット３の下降操作を可能とする公知の構成である。
【００２２】
前記操作棒８の下端部にはグリップ１１が取着され、操作者はこのグリップ１１を把持して前記操作棒８を回転操作可能となっている。前記グリップ１１は、ほぼ円筒状に形成され、前記操作棒８と連通している。
【００２３】
前記操作棒８内には前記ボトムレール４の自重降下速度を抑制する制動装置が内蔵されている。その制動装置の具体的構成を次に説明する。
図２に示すように、前記操作棒８はアルミニウムあるいは銅等の非磁性材で、かつ導電性の高い金属パイプで形成される。前記グリップ１１は、前記操作棒８と同様な材質で筒状に形成され、前記操作棒８の下端部に嵌着されている。
【００２４】
前記操作棒８内には筒状の磁石１２が同操作棒８内を上下動可能に支持されている。この磁石１２は、フェライト磁石より磁力の強いネオジウムで前記操作棒８の内径より小さい外径で形成されている。そして、前記グリップ１１の下端に取着されたキャップ１３により磁石１２の操作棒８からの脱落が阻止されて、磁石１２の下限位置が設定されている。
【００２５】
前記複数本の昇降コード９は、前記操作棒８から前記磁石１２内及びキャップ１３を経てグリップ１１の下方に垂下され、その下端に前記コードイコライザ１０が取着される。
前記昇降コード９には、前記コードイコライザ１０から所定距離隔てた位置に、かしめ端子（係合部）１４が移動不能に取着されている。このかしめ端子は、前記キャップ１３及び操作棒８内には挿通可能であるが、前記磁石１２には挿通不能とした径を備える。従って、図２に示す状態から昇降コード９がグリップ１１内に引き込まれて、かしめ端子１４が前記操作棒８内を上方へ移動すると、かしめ端子１４とともに磁石１２が上方へ移動するようになっている。
【００２６】
なお、昇降コード９が操作棒８内に引き込まれて、図４に示すように、コードイコライザ１０がグリップ１１の下端に当接するときボトムレール４が下限に達するように、昇降コード９の長さが調整されている。
【００２７】
一方、コードイコライザ１０を下方へ引いて昇降コード９をグリップ１１から引き出すと、かしめ端子１４が下方へ移動するため、磁石１２が自重により下方へ移動する。そして、かしめ端子１４がグリップ１１より下方へ引き出されると、図２に示すように、磁石１２はグリップ１１の下端部に保持されるようになっている。
【００２８】
前記磁石１２が操作棒８内を移動するとき、磁石１２は操作棒８の内周面に接触しないで移動するとともに、操作棒８を通る磁束の変化に基づいて操作棒８に磁束の変化を妨げるような渦電流が発生する。この結果、磁石１２にその移動を妨げる方向の制動力が作用する。この制動力は、磁石１２の移動速度が上昇するにつれて増大する。
【００２９】
上記のように構成された横型ブラインドの操作装置では、コードイコライザ１０を下方へ引いて昇降コード９をヘッドボックス１から引き出すと、ボトムレール４が引き上げられて、そのボトムレール４とともにスラット３が引き上げられる。
【００３０】
このとき、かしめ端子１４が下降すると、磁石１２はその自重により操作棒８内を下降し、図２に示すように、かしめ端子１４がグリップ１１より下方まで引き出されると、磁石１２はグリップ１１の下端部に保持された状態となる。
【００３１】
ボトムレール４及びスラット３を所望高さまで引き上げた後、コードイコライザ１０を手放すと、ストッパ装置が作動して、ボトムレール４の自重降下が阻止される。
ボトムレール４及びスラット３を下降させるときには、コードイコライザ１０をわずかに下方へ引いてストッパ装置の作動を解除した状態でコードイコライザ１０を手放す。すると、ボトムレール４及びスラット３の重量により、操作棒８内を経て垂下される昇降コード９がヘッドボックス１内に引き込まれ、ボトムレール４が自重降下するとともに、コードイコライザ１０が引き上げられる。
【００３２】
昇降コード９がグリップ１１内に引き込まれてかしめ端子１４がグリップ１１内に引き込まれると、図３に示すように、磁石１２がかしめ端子１４とともに操作棒８内を上昇する。
【００３３】
このとき、磁石１２の移動にともなって操作棒８に渦電流が発生し、磁石１２に制動力が作用する。この結果、昇降コード９の移動速度が抑制され、ボトムレール４の下降速度が減速されて、緩やかに下降する。そして、ボトムレール４が下限まで下降すると、図４に示すように、コードイコライザ１０がグリップ１１の下端に当接する。
【００３４】
上記のように構成された横型ブラインドのスラット昇降装置では、次に示す作用効果を得ることができる。
（１）コードイコライザ１０を操作して、ヘッドボックス１から操作棒８を経て昇降コード９を引き出し、あるいは昇降コード９をヘッドボックス１内に引き込ませることにより、ボトムレール４及びスラット３を昇降することができる。
（２）ボトムレール４及びスラット３を自重降下させても、ボトムレール４が下限に達する前に、磁石１２に作用する制動力でボトムレール４の下降速度を減速することができる。従って、ストッパ装置の作動を誤って解除してボトムレール４が不用意に自重降下する場合にも、ボトムレール４の下限位置近傍で、ボトムレール４と家財道具との衝突による衝突音の発生を防止することができる。
（３）操作棒８内を移動する磁石１２により昇降コード９を摩擦することなく、ボトムレール４の下降速度を減速させることができる。従って、昇降コード９が磨耗することはない。
（４）磁石１２は操作棒８に対し非接触で移動するため、この制動装置の耐久性を向上させることができる。
（５）ボトムレール４及びスラット３の引き上げ操作時には、昇降コード９を磁石１２と一体に移動させることはないので、昇降コード９に制動力が作用することはない。従って、ボトムレール４及びスラット３の引き上げ操作に要する操作力を増大させることはない。
（６）操作棒８内で磁石１２を移動させるので、制動装置により横型ブラインドの美観を損ねることはない。
（７）一つの磁石１２で複数本の昇降コード９に同一の制動力を作用させることができる。従って、ボトムレール４を水平方向に維持しながら下降させることができる。
（８）磁石１２の移動速度が速いほど大きな制動力が作用するので、ボトムレール４の下降速度を一定速度以下に減速することができる。
（第二の実施形態）
図５及び図６は、第二の実施形態を示す。この実施形態は、横型ブラインドの両側に配設されるガイドパイプ（金属パイプ）と、そのガイドパイプに沿って昇降するボトムレールに制動装置を備えたものである。
【００３５】
図５に示す横型ブラインドは、第一の実施形態と同様に、ヘッドボックス１の一端部から操作棒８が垂下され、その操作棒８に昇降コード９が挿通され、その昇降コード９の下端にコードイコライザ１０が取着されている。
【００３６】
そして、コードイコライザ１０を下方へ引いて昇降コード９を引き出すことにより、ボトムレール４及びスラット３が引き上げられ、昇降コード９をヘッドボックス１内に引き込ませることによりボトムレール４及びスラット３が下降される。また、操作棒８を回転させることにより、各スラット３を角度調節可能である。これらの動作は、前記第一の実施形態と同様である。
【００３７】
前記横型ブラインドの両側には、床面と天井面との間にアルミニウムのガイドパイプ１５が支持され、そのガイドパイプ１５はボトムレール４の端部のボトムキャップ１６にそれぞれ挿通されている。そして、ボトムレール４はガイドパイプ１５に沿って昇降するようになっている。
【００３８】
図６に示すように、前記ボトムキャップ１６は合成樹脂で成形されたケース１７内にネオジウムの磁石１８が収容され、その磁石１８及びケース１７を貫通する挿通孔１９に前記ガイドパイプ１５が挿通されている。なお、挿通孔１９の径は前記ガイドパイプ１５の外径より僅かに大きな径で形成され、ケース１７及び磁石１８はガイドパイプ１５に非接触で昇降可能となっている。
【００３９】
上記のように構成された横型ブラインドでは、コードイコライザ１０を下方へ引いて昇降コード９をヘッドボックス１から引き出すと、ボトムレール４がガイドパイプ１５に沿って引き上げられて、そのボトムレール４とともにスラット３が引き上げられる。
【００４０】
ボトムレール４及びスラット３を所望高さまで引き上げた後、コードイコライザ１０を手放すと、ストッパ装置が作動して、ボトムレール４の自重降下が阻止される。
ボトムレール４及びスラット３を下降させるときには、コードイコライザ１０をわずかに下方へ引いてストッパ装置の作動を解除した状態でコードイコライザ１０を手放す。すると、ボトムレール４及びスラット３の重量により、操作棒８内を経て垂下される昇降コード９がヘッドボックス１内に引き込まれ、ボトムレール４が自重降下するとともに、コードイコライザ１０が引き上げられる。
【００４１】
このとき、磁石１８の移動にともなってガイドパイプ１５に渦電流が発生し、磁石１８に制動力が作用する。この結果、ボトムレール４の下降速度が減速されて、緩やかに下降する。そして、ボトムレール４が下限まで下降すると、コードイコライザ１０がグリップ１１の下端に当接する。
【００４２】
上記のように構成された横型ブラインドのスラット昇降装置では、次に示す作用効果を得ることができる。
（１）ボトムレール４を自重降下させても、磁石１８に作用する制動力でボトムレール４の下降速度を減速することができる。従って、ボトムレール４の下限位置近傍で、ボトムレール４と家財道具との衝突による衝突音の発生を防止することができる。
（２）ガイドパイプ１５に沿って移動する磁石１２により、昇降コード９を摩擦することなくボトムレール４の下降速度を減速させることかできる。従って、昇降コード９が磨耗することはない。
（３）磁石１８の移動速度が速いほど大きな制動力が作用するので、ボトムレール４の下降速度を一定速度以下に減速することができる。
【００４３】
上記実施形態は、以下の態様で実施してもよい。
・第二の実施形態において、ガイドパイプを断面Ｃ形とし、ボトムレールの両端部に支持される磁石をガイドパイプ内で移動するように構成してもよい。
・上記制動装置をプリーツカーテンのカーテン生地を昇降する昇降装置に備えてもよい。
【図面の簡単な説明】
【００４４】
【図１】横型ブラインドを示す正面図である。
【図２】制動装置を示す断面図である。
【図３】制動装置を示す断面図である。
【図４】制動装置を示す断面図である。
【図５】第二の実施形態の横型ブラインドを示す正面図である。
【図６】制動装置を示す断面図である。
【符号の説明】
【００４５】
１…ヘッドボックス、３…日射遮蔽材（スラット）、４…ボトムレール、８…金属パイプ（操作棒、ガイドパイプ）、９…昇降コード、１０…コードイコライザ、１１…グリップ、１２，１８…磁石。
【図１】
2010101137.tif 000003
【図２】
2010101137.tif 000004
【図３】
2010101137.tif 000005
【図４】
2010101137.tif 000006
【図５】
2010101137.tif 000007
【図６】
2010101137.tif 000008